(57)【要約】【課題】店舗にコンテンツ管理装置を設けて、コンテンツ配信センターからカラオケ装置の背景映像の配信を受けて蓄積しておき、カラオケ装置からの送信要求（リクエスト）に応じて送信すること。【解決手段】カラオケ装置１，２とコンテンツ管理装置３とコンテンツ配信センター４とから成り、カラオケ装置１，２は操作パネル１３又はリモコン７によりメニュー一覧情報又は任意の選択画面をコンテンツ管理装置に送信要求して、メニュー一覧情報又は選択した画面を受信し、メニュー一覧情報から画面を選択し、また受信した選択画面を背景映像として表示する機能を有し、コンテンツ管理装置３は、予め又は必要に応じてコンテンツ配信センター４から画面の配信を受けて蓄積しておき、前記操作パネル又はリモコンの操作によるメニュー一覧情報又は選択画面の送信要求を受信して、これらを送信する機能を有する。【選択図】        図１
2005010339.tif 000002
【特許請求の範囲】
【請求項１】
操作パネル画面表示装置と主画面表示装置とコンテンツ管理装置内のパソコンとがローカル通信回線で接続され、前記パソコンが電話回線又はインターネット通信回線を介してコンテンツ配信センターのサーバーと情報を授受可能に接続され得る表示画面リクエストシステムであって、
前記操作パネル画面表示装置は、メニュー表示部とサンプル表示部と操作パネルとを有し、前記操作パネルを操作してメニュー一覧表示を選択することにより、コンテンツ管理装置のデータベースからメニュー一覧情報を受信してメニュー表示部へ表示し、表示されたメニューから任意の画面番号を選択することにより、コンテンツ管理装置のデータベースから選択された画面情報を受信して主画面表示装置へ表示する機能を有し、
前記主画面表示装置は、メニュー表示部とサンプル表示部とを有し、リモコンの操作によりメニュー一覧表示が選択されることにより、コンテンツ管理装置のデータベースからメニュー一覧情報を受信して主画面表示装置へ表示し、リモコンの操作により、表示されたメニューから任意の画面番号が選択されることにより、コンテンツ管理装置のデータベースから選択された画面情報を受信して主画面表示画面装置へ表示する機能及び／又はリモコン操作により画面番号が入力されることにより、コンテンツ管理装置のデータベースから指定された画面情報を受信して主画面表示装置へ表示する機能を有し、
前記コンテンツ管理装置は、パソコンとデータベースとを有し、操作パネル又はリモコンの操作によるメニュー一覧情報及び選択画面の送信要求を受信してこれらをデータベースから送信する機能を有する、
ことを特徴とする表示画面リクエストシステム。
【請求項２】
請求項１に記載の表示画面リクエストシステムにおいて、
前記コンテンツ管理装置は、操作パネル又はリモコンの操作により選択され送信要求された画面表示情報がデータベースにない場合には、コンテンツ配信センターに対してこの画面表示情報を配信要求し、コンテンツ配信センターから配信されてきたこの画面表示情報を受信してデータベースに格納すると共に送信要求側へ送信する機能を有する、
ことを特徴とする表示画面リクエストシステム。
【請求項３】
請求項１又は請求項２に記載の表示画面リクエストシステムにおいて、
前記コンテンツ管理装置のパソコンが電話回線又はインターネット通信回線６を介してコンテンツ配信センターのサーバーと情報を授受可能に接続されていることを特徴とする表示画面リクエストシステム。
【発明の詳細な説明】
【０００１】
【発明の属する技術分野】
本発明は、カラオケ装置、ゲーム機等の背景映像の表示画面リクエストシステムに関する。
【０００２】
【従来の技術】
従来カラオケ装置の背景映像（画像）は、カラオケ装置とカラオケ配信元との間を通信回線を介して接続し、カラオケ装置からの配信要求に応じた背景映像をカラオケ配信元が送信し、カラオケ装置は送信されてきた背景映像を受信してその映像を出力するようにしていた（特許文献１、特許文献２参照。）。
【０００３】
【特許文献１】
特開平０５−２７７８８号公報
【特許文献２】
特開２００３−１５６７５号公報
【０００４】
【発明が解決しようとする課題】
本発明は、店舗にカラオケ装置とは別にコンテンツ管理装置を設け、このコンテンツ管理装置が予め及び必要に応じてコンテンツ配信センター（上記のカラオケ配信元）からカラオケ装置等の背景映像の配信を受けて蓄積しておき、カラオケ装置からの送信要求に応じて指定してきた背景映像を送信することを目的とする。
【０００５】
【課題を解決するための手段】
上記目的を達成するために、本発明の表示画面リクエストシステムは、操作パネル画面表示装置１と主画面表示装置２とコンテンツ管理装置３内のパソコン３１とがローカル通信回線５で接続され、前記パソコン３１が電話回線又はインターネット通信回線６を介してコンテンツ配信センター４のサーバー４１と情報を授受可能に接続され得る表示画面リクエストシステムであって、前記操作パネル画面表示装置１は、メニュー表示部１１とサンプル表示部１２と操作パネル１３とを有し、前記操作パネルを操作してメニュー一覧表示を選択することにより、コンテンツ管理装置３のデータベース３２からメニュー一覧情報を受信してメニュー表示部１１へ表示し、表示されたメニューから任意の画面番号を選択することにより、コンテンツ管理装置３のデータベース３２から選択された画面情報を受信して主画面表示装置２へ表示する機能を有し、前記主画面表示画面装置２は、メニュー表示部２１とサンプル表示部２２とを有し、リモコン７の操作によりメニュー一覧表示が選択されることにより、コンテンツ管理装置３のデータベース３２からメニュー一覧情報を受信して主画面表示画面装置２へ表示し、リモコンの操作により、表示されたメニューから任意の画面番号が選択されることにより、コンテンツ管理装置３のデータベース３２から選択された画面情報を受信して主画面表示装置２へ表示する機能及び／又はリモコン操作により画面番号が入力されることにより、コンテンツ管理装置３のデータベース３２から指定された画面情報を受信して主画面表示装置２へ表示する機能を有し、前記コンテンツ管理装置３は、パソコン３１とデータベース３２とを有し、操作パネル１３又はリモコン７の操作によるメニュー一覧情報及び選択画面の送信要求を受信してこれらを送信する機能を有する。
【０００６】
また上記の表示画面リクエストシステムにおいて、前記コンテンツ管理装置３は、操作パネル１３又はリモコン７の操作により選択され送信要求された選択画面の画面表示情報がデータベース３２にない場合には、コンテンツ配信センター４に対してこの画面表示情報を配信要求し、コンテンツ配信センター４から配信されてきたこの画面表示情報を受信してデータベース３２に格納すると共に送信要求側へ送信する機能を有する。
【０００７】
また上記の表示画面リクエストシステムにおいて、前記コンテンツ管理装置３のパソコン３１が電話回線又はインターネット通信回線６を介してコンテンツ配信センター４のサーバー４１と情報を授受可能に接続されている。
【０００８】
【発明の実施の形態】
本発明の実施の形態を実施例にもとづき図面を参照して説明する。
図１は本発明の表示画面リクエストシステムの概念図を示す。
１は操作パネル画面表示装置で、メニュー表示部１１とサンプル表示部１２と操作パネル１３とを備えている。２は主画面表示装置で、メニュー表示部２１とサンプル表示部２２とを備えている。３はコンテンツ管理装置で、パソコン３１とデータベース（ＤＢ）３２とを備えている。
【０００９】
操作パネル画面表示装置１と主画面表示装置２とコンテンツ管理装置３とはローカル通信回線５を介して情報の授受を可能に接続されている。
４はコンテンツ配信センターで、サーバー４１とデータベース（ＤＢ）４２を備えている。
７はリモコンで、キー操作により主画面表示装置２に対して、メニュー一覧表示を要求したり、所望の画面番号を送信したりして、主画面表示装置２にメニュー一覧情報を表示したり、所望の画面を表示したりする。
コンテンツ管理装置３は電話回線又はインターネット通信回線６を介して情報の授受を可能にコンテンツ配信センター４に接続される。
【００１０】
前記操作パネル画面装置１は、前記操作パネル１２を操作して「メニュー一覧表示」を選択することにより、コンテンツ管理装置３のデータベース３２からメニュー一覧情報を受信してメニュー表示部１１へ表示し、表示されたメニューから所望（任意）の画面番号を選択することにより、コンテンツ管理装置３のデータベース３２から選択された画面情報を受信して主画面表示装置２へ表示する（図２参照）。
【００１１】
主画面表示画面装置２は、リモコン７の操作により「メニュー一覧表示」を選択することにより、コンテンツ管理装置３のデータベース３２からメニュー一覧情報を受信して主画面表示装置２へ表示し、リモコンの操作により、表示されたメニューから所望（任意）の画面番号を選択することにより、コンテンツ管理装置３のデータベース３２から選択された画面情報が送信されるので、これを受信して主画面表示装置２へ表示する（図３参照）。
【００１２】
またメニュー一覧表８を見て、リモコン操作により所望（任意）の画面番号を入力することによっても、コンテンツ管理装置３のデータベース３２から選択された画面情報が送信されるので、これを受信して主画面表示装置２へ表示する（図４参照）。
【００１３】
コンテンツ管理装置３は、操作パネル又はリモコンの操作によりメニュー一覧情報及び選択画面の送信要求を受信して、これらを送信する。
【００１４】
図２は操作パネルを操作して直接所望の画面表示情報を取得する場合の処理を示す。
先ず操作パネル１３を操作して「メニュー一覧表示」を選択する（Ｓ２１）と、コンテンツ管理装置３のＤＢ３２からメニュー一覧情報が送信されてくるので、これを受信する（Ｓ２２）。そして受信したメニュー一覧情報を表示する（Ｓ２３）。
【００１５】
表示されたメニュー一覧情報を見て、操作パネルを操作して所望の画面番号を選択する（Ｓ２４）と、コンテンツ管理装置３のＤＢ３２から選択した画面情報が送信されてくるので、これを受信し（Ｓ２５）、受信した画面情報を表示する（Ｓ２６）。
【００１６】
図３はリモコンを操作して所望の画面表示情報を取得する場合の処理を示す。先ずリモコン７の操作により「メニュー一覧表示」を選択して、主画面表示装置２に対して送信することにより（Ｓ３１）、コンテンツ管理装置３のデータベース３２からメニュー一覧情報画送信されてくるので、これを受信して（Ｓ３２）、表示し（Ｓ３３）、次いでリモコンの操作により、表示されたメニューから所望（任意）の画面番号を選択することにより（Ｓ３４）、コンテンツ管理装置３のデータベース３２から選択された画面情報が送信されてくるので、これを受信して（Ｓ３５）、表示する（Ｓ３６）。
【００１７】
図４はリモコンを操作して所望の画面表示情報を取得する場合の別の処理を示す。
この場合はメニュー一覧表８を見て、リモコンにより所望の画面番号を入力し、主画面表示装置２に対して送信することにより（Ｓ４１）、コンテンツ管理装置３のデータベース３２から指定された画面情報が送信されてくるので、これを受信して、表示する（Ｓ４２）。
【００１８】
図５はコンテンツ管理装置によりコンテンツの配信を受ける場合の処理を示す。
上記のように操作パネル１３又はリモコン７の操作により選択され送信要求された選択画面の画面表示情報がデータベース３２にない場合には、コンテンツ管理装置３はコンテンツ配信センター４に対してこの画面表示情報を配信要求し、コンテンツ配信センター４から配信されてきたこの画面表示情報を受信してデータベース３２に格納すると共に送信要求側へ送信する。
なお画面表示情報は、動画又は静止画である。
【００１９】
【発明の効果】
本発明によれば、コンテンツ管理装置にカラオケ装置等の背景映像が蓄積されているので、コンテンツ配信センターとの間の通信回線の能力（通信速度）に関係なく、カラオケ装置等からの要求に応じて直ちに指定の背景映像を送信することができる。
【図面の簡単な説明】
【図１】本発明の表示画面リクエストシステムの概念図を示す。
【図２】操作パネルを操作して直接所望の画面表示情報を取得する場合の処理を示す。
【図３】リモコンを操作して所望の画面表示情報を取得する場合の処理を示す。
【図４】リモコンを操作して所望の画面表示情報を取得する場合の別の処理を示す。
【図５】コンテンツ管理装置によりコンテンツの配信を受ける場合の処理を示す。
【符号の説明】
１  操作パネル画面表示装置
１１  メニュー表示部
１２  サンプル表示部
１３  操作パネル
２  主画面表示装置
２１  メニュー表示部
２２  サンプル表示部
３  コンテンツ管理装置
３１  パソコン
３２  ＤＢ
４  コンテンツ配信センター
４１  サーバー
４２  ＤＢ
５  ローカル通信回線
６  電話回線又はインターネット通信回線
７  リモコン
８  メニュー一覧表
【図１】
2005010339.tif 000003
【図２】
2005010339.tif 000004
【図３】
2005010339.tif 000005
【図４】
2005010339.tif 000006
【図５】
2005010339.tif 000007